(57)【要約】【課題】一般的な厚紙を使用する際にも、画像の劣化を抑制することが可能な画像形成装置を提供する。【解決手段】画像形成装置１は、転写ローラ２２と転写ローラ２２に対向する対向部材２１との間において用紙ＰＡを通過させて、用紙ＰＡにトナー像を転写する。また、画像形成装置１は、用紙ＰＡの搬送経路上に配置される用紙変形部５０を備えている。用紙変形部５０は、用紙ＰＡの端部を裁断して用紙ＰＡの端部の形状を変形させる。【選択図】図１
2009216781.tif 000002
【特許請求の範囲】
【請求項１】
画像形成装置であって、
転写ローラと前記転写ローラに対向する対向部材との間において用紙を通過させて、前記用紙にトナー像を転写する転写手段と、
前記用紙の搬送経路上に配置され、前記用紙の端部を裁断して前記用紙の端部の形状を変形させる用紙変形手段と、
を備えることを特徴とする画像形成装置。
【請求項２】
請求項１に記載の画像形成装置において、
前記用紙変形手段は、前記用紙の先端部の断面を斜めに裁断する刃部を有することを特徴とする画像形成装置。
【請求項３】
請求項１に記載の画像形成装置において、
前記用紙変形手段は、前記用紙の先端部を当該用紙平面において斜めに裁断する刃部を有することを特徴とする画像形成装置。
【請求項４】
請求項１ないし請求項３のいずれかに記載の画像形成装置において、
前記用紙変形手段は、前記用紙の搬送経路上において前記転写手段よりも上流側に配置されることを特徴とする画像形成装置。
【発明の詳細な説明】
【技術分野】
【０００１】
本発明は、電子写真方式等の画像形成装置に関する。
【背景技術】
【０００２】
電子写真方式等の画像形成装置の転写部では、トナー像が形成された転写ベルト等と転写ローラとの間を用紙が通過し、当該用紙にトナー像が転写される。また、当該用紙上に転写されたトナー像は定着部によって定着される。
【０００３】
また、このような画像形成装置においては、比較的大きな厚さを有する「厚紙」が用紙として使用されることがある。
【０００４】
そして、このような「厚紙」が使用されるときには、当該厚紙が定着部のローラ対の相互間に突入する際に、比較的大きな衝撃が生じ、この衝撃に起因して画像の乱れが生じることがある。
【０００５】
そこで、このような問題に対処するため、特許文献１においては、その先端部を予め斜めに裁断した厚紙を用いることが記載されている。
【０００６】
【特許文献１】特開平６−２６６１４７号公報
【発明の開示】
【発明が解決しようとする課題】
【０００７】
また、定着部のローラ対の相互間に厚紙が突入する際ではなく、例えば、一次転写によってトナー像が形成される中間転写ベルトと二次転写ローラとの対向位置に厚紙が突入する際にも、同様に画像の乱れが生じる。
【０００８】
具体的には、中間転写ベルトと二次転写ローラとの対向位置に厚紙の先端部が到達するときには、感光体ドラムから中間転写ベルトへの画像の一次転写が未だ実行されている。そのため、中間転写ベルトと転写ローラとの対向位置に厚紙の先端部が到達したときの衝撃により中間転写ベルトに急激な速度変化（速度低下）が生じると、感光体ドラムと中間転写ベルトとの間に相対的な速度変化が生じ、中間転写ベルトに転写される画像にも乱れが生じる。
【０００９】
ところで、上記のような問題に対して、上記の従来技術のような対策を施した厚紙（すなわち用紙端部を予め斜めに裁断した厚紙）を用いることによれば、一定の効果を得ることが可能である。
【００１０】
しかしながら、それ以外の厚紙（一般的な厚紙）では上記のような問題を回避することができない。
【００１１】
そこで、この発明の課題は、一般的な厚紙を使用する際にも、画像の劣化を抑制することが可能な画像形成装置を提供することにある。
【課題を解決するための手段】
【００１２】
上記課題を解決すべく、請求項１の発明は、画像形成装置であって、転写ローラと前記転写ローラに対向する対向部材との間において用紙を通過させて、前記用紙にトナー像を転写する転写手段と、前記用紙の搬送経路上に配置され、前記用紙の端部を裁断して前記用紙の端部の形状を変形させる用紙変形手段とを備えることを特徴とする。
【００１３】
請求項２の発明は、請求項１の発明に係る画像形成装置において、前記用紙変形手段は、前記用紙の先端部の断面を斜めに裁断する刃部を有することを特徴とする。
【００１４】
請求項３の発明は、請求項１の発明に係る画像形成装置において、前記用紙変形手段は、前記用紙の先端部を当該用紙平面において斜めに裁断する刃部を有することを特徴とする。
【００１５】
請求項４の発明は、請求項１ないし請求項３のいずれかの発明に係る画像形成装置において、前記用紙変形手段は、前記用紙の搬送経路上において前記転写手段よりも上流側に配置されることを特徴とする。
【発明の効果】
【００１６】
請求項１ないし請求項４に記載の発明によれば、一般的な厚紙を使用する際にも、画像の劣化を抑制することが可能である。
【発明を実施するための最良の形態】
【００１７】
以下、本発明の実施形態を図面に基づいて説明する。
【００１８】
＜１．第１実施形態＞
＜１−１．装置概要＞
図１は、本実施形態に係る画像形成装置１の概略構成を示す図である。画像形成装置１は、像担持体上の静電潜像を現像して画像を形成する装置である。ここでは、画像形成装置として、電子写真装置、より詳細には、タンデム方式のフルカラー電子写真装置を例示する。
【００１９】
図１に示すように、画像形成装置１は、複数（具体的には４つ）のイメージングユニット１０（詳細には、１０Ｙ，１０Ｍ，１０Ｃ，１０Ｋ）を備えている。画像形成装置１は、具体的には、イエローのイメージングユニット１０Ｙと、マゼンタのイメージングユニット１０Ｍと、シアンのイメージングユニット１０Ｃと、ブラックのイメージングユニット１０Ｋとを備えている。各イメージングユニット１０は、それぞれ、最終出力画像のうちの各色成分（具体的には、Ｙ（イエロー），Ｍ（マゼンタ），Ｃ（シアン），Ｋ（ブラック）の各成分）の画像を電子写真方式によって形成し、中間転写ベルト（中間転写体とも称される）２１に転写する。そして、中間転写ベルト２１上に重畳された各色成分の画像が、さらに用紙（記録紙）ＰＡに転写されることによって、用紙ＰＡにフルカラー画像が形成される。
【００２０】
４つのイメージングユニット１０（１０Ｙ，１０Ｍ，１０Ｃ，１０Ｋ）は、駆動ローラ２３と巻き掛けローラ２４とに巻き掛けられた中間転写ベルト２１の下側直線部分の主に下部において、当該下側直線部分に沿って直列に配置されている。各イメージングユニット１０は、それぞれ、感光体（像担持体）１１と帯電器１２と露光器１３と現像器１４と第１転写器（１次転写器）１５とイレーサ（除電器）１６とクリーナ１７とを有している。詳細には、各イメージングユニット１０において、略円柱状の感光体１１の外周を囲むように、帯電器１２と露光器１３と現像器１４と第１転写器１５とイレーサ１６とクリーナ１７とがこの順序で時計回りに配置されている。このうち、第１転写器１５（詳細には転写ローラ）は、中間転写ベルト２１を隔てて、感光体１１と対向する位置に配置されている。
【００２１】
中間転写ベルト２１は、駆動ローラ２３の駆動によって矢印ＡＲ１の向きに移動する。また、駆動ローラ２３に対向する位置には、中間転写ベルト２１を隔てて、２次転写ローラ２２が設けられている。さらに、２次転写ローラ２２等の下側（搬送経路上において上流側）には給紙部３０が設けられている。給紙部３０は、給紙トレイ３１とフィードローラ３２と給紙ローラ３３とサバキローラ３４とを備えており、タイミングローラ４１，４２および２次転写ローラ２２に向けて、用紙ＰＡを供給するように構成されている。また、２次転写ローラ２２の位置を通過した用紙ＰＡの搬送方向下流側には定着器４５が設けられており、さらにその搬送方向下流側には排紙部４６が設けられている。
【００２２】
画像形成装置１は、ネットワーク等を介して接続された他の情報装置（パーソナルコンピュータ等）から伝送されてきた画像データに基づく画像を、上述のような印刷機構を用いて印刷出力することによって、カラーページプリンタとして機能する。なお、この画像形成装置１は、画像読取部（不図示）を使用して原稿を読み取り、読み取った画像データに基づく画像を上記印刷機構を用いて印刷出力することによってカラー複写機としても機能する。
【００２３】
また、画像形成装置１は、用紙搬送経路において、中間転写ベルト２１と２次転写ローラ２２との対向位置（転写部ないし２次転写部とも称する）よりも上流側に（より詳細にはタイミングローラ４１，４２の位置よりも下流側に）、用紙変形部５０をさらに備えている。次に、この用紙変形部５０の構成等について詳述する。
【００２４】
＜１−２．用紙変形部＞
図２および図３は、用紙変形部５０の構成を示す図である。図２は、用紙変形部５０の１つの構成要素（具体的には用紙端部変形ローラ５１）を示す斜視図であり、図３は、用紙変形部５０を示す断面図である。
【００２５】
図２および図３に示すように、用紙変形部５０（詳細には５０Ａ）は、用紙端部変形ローラ５１（５１Ａ）と当該ローラ５１に対向する対向ローラ５２とを備えている。用紙端部変形ローラ５１Ａおよび対向ローラ５２は、搬送される用紙の幅方向（図３の紙面奥行き方向）に伸びる回転軸をそれぞれ有しており、当該各回転軸を中心にそれぞれ回動する。この用紙変形部５０Ａは、刃部５５Ａ（次述）を用いて、用紙ＰＡの先端部を用紙断面において斜めに裁断することによって、用紙先端部の断面形状を、矩形状の凸形状から比較的先鋭な凸形状（図９参照）へと変形する。
【００２６】
図３の断面図に示されるように、用紙端部変形ローラ５１Ａは、回転軸部材５８と当該回転軸部材５８の外周表面を覆う弾性部材５３とを有している。また、弾性部材５３の一部は、突出部５４として形成されている。突出部５４は、図３の断面図に示すように、円筒形状の用紙端部変形ローラ５１Ａの周回方向（詳細にはその後側向き）に向けて突出しており、弾性部材５３の近接表面との間に空隙部５７を形成した状態で、弾性部材５３の表面の一部を覆っている。また、突出部５４は、用紙端部変形ローラ５１Ａの長手方向において用紙幅を超える範囲にわたって伸びている（図２も参照）。
【００２７】
また、空隙部５７においては、刃部５５（詳細には５５Ａ）が設けられている。刃部５５Ａは、図３の断面図に示すように、用紙端部変形ローラ５１Ａの外側に向けて突出するように弾性部材５３に埋設されている。詳細には、刃部５５Ａは、空隙部５７において、用紙端部変形ローラ５１Ａの外周表面の接線方向と当該接線に垂直な方向との間の中間的な角度を有する状態で、突出部５４に向けて若干上向きに突出するように設けられている。換言すれば、刃部５５Ａは、用紙端部変形ローラ５１Ａの外周表面の外向き法線方向に対して、用紙端部変形ローラ５１Ａの回転方向（時計回り）の前方側に向けて所定角度傾いた状態で設けられている。また、刃部５５Ａは、用紙端部変形ローラ５１Ａの長手方向において用紙幅を超える範囲にわたって直線状に伸びている（図２も参照）。この刃部５５Ａは、用紙ＰＡの下流側端部（先端部）の一部を切除し、用紙ＰＡの端面の断面形状を変更する。
【００２８】
＜１−３．動作＞
次に、図４〜図８を参照しながら、印刷動作について、用紙ＰＡの搬送動作等を中心に説明する。ここでは、用紙ＰＡとして、厚紙用紙が選択されている場合を想定する。なお、これらの図では、便宜上、突出部５４および刃部５５Ａ等が実際よりも誇張されて大きく描かれている。
【００２９】
図４に示すように、用紙端部変形ローラ５１Ａは、刃部５５Ａと突出部５４との間の空隙部５７を用紙ＰＡの進行方向に配置した状態で停止している。
【００３０】
そして、図５に示すように、給紙部３０により搬送経路の上流側（図５の下側）から搬送されてきた用紙ＰＡが、タイミングローラ４１，４２（図１参照）の位置を通過し、刃部５５Ａと突出部５４との間の空隙部５７にまで到達すると、用紙端部変形ローラ５１Ａは回転を開始する。
【００３１】
このとき、用紙端部変形ローラ５１Ａの刃部５５Ａの切削面は、用紙ＰＡの下流側端部（先端部）の一方の平面（用紙ＰＡの右側平面）において、用紙ＰＡの先端部の端面に対して斜めに突入する。そして、用紙端部変形ローラ５１Ａが時計回りに回転するととともに、用紙端部変形ローラ５１Ａと対向ローラ５２との間の押圧力が作用して、刃部５５Ａは、用紙ＰＡに対して用紙ＰＡの厚さ方向において更に深い位置にまで進行する（図６参照）。その後、さらに用紙端部変形ローラ５１Ａが回転すると、用紙ＰＡの先端部は、刃部５５Ａによって切除される（図７参照）。
【００３２】
さらに、用紙端部変形ローラ５１Ａの回転動作によって用紙ＰＡは下流側へ向けて送り出される。用紙端部変形ローラ５１Ａが一回転して、対向ローラに対向する位置へと戻ってくると、用紙端部変形ローラ５１Ａは、その突出部５４が刃部５５Ａを覆った状態で、対向ローラ５２に接触しながら回転する（図８）。このように、刃部５５Ａは、突出部５４によって保護された状態で回転するため、用紙ＰＡは刃部５５Ａによって損傷を加えられずに済む。
【００３３】
その後、用紙ＰＡの後端側が用紙端部変形ローラ５１Ａと対向ローラ５２との間を通過すると、用紙端部変形ローラ５１Ａは図４に示すような回転位置が実現されるように所定角度回転した後に停止し、次の用紙ＰＡの到来を待機する。
【００３４】
以上のような動作によって、用紙ＰＡは、図９に示すように切除される。なお、図９は、切除後の用紙ＰＡを示す図である。
【００３５】
図９にも示すように、用紙ＰＡの先端部の断面は、元の端面（用紙平面に垂直な面）に対して斜めに裁断されており、用紙先端部の断面形状は、矩形状の凸形状から比較的先鋭な凸形状へと変化している。端的に言えば、用紙ＰＡの先端部端面は、薄くなっている。
【００３６】
用紙変形部５０によって先端部がこのように切断された用紙ＰＡは、２次転写ローラ２２と中間転写ベルト２１との対向部分へと進行する。そして、中間転写ベルト２１上のトナー像が用紙ＰＡに転写される。その後、用紙ＰＡ上に転写されたトナー像が定着器４５によって定着され、用紙ＰＡが排紙部４６に排出される。
【００３７】
図１０は、ニップ部Ｎ３と用紙ＰＡとの接触面積と、用紙ＰＡの突入時の衝撃との関係を示す図である。なお、ニップ部Ｎ３は、中間転写ベルト２１と２次転写ローラ２２との間に形成される挟持部である。
【００３８】
図１０に示すように、用紙ＰＡの先端部が薄くなることなどによってニップ部Ｎ３と用紙ＰＡとの接触面積が小さくなると、用紙ＰＡの突入時の衝撃も小さくなる。
【００３９】
上述したように、この実施形態においては、用紙ＰＡの先端部端面が用紙端部変形ローラ５１Ａにより切除され、用紙ＰＡの先端部の厚さは比較的小さくなっている。そのため、用紙ＰＡが中間転写ベルト２１と２次転写ローラ２２との間に突入するときに発生する衝撃は、比較的小さくなる。
【００４０】
ところで、用紙ＰＡがニップ部Ｎ３に突入した時点においては、中間転写ベルト２１から感光体（像担持体）１１へのトナー像の転写動作（一次転写動作）がまだ継続されている。そして、このとき、用紙ＰＡの先端部が中間転写ベルト２１に到達したときの衝撃により中間転写ベルト２１に急激な速度変化（速度低下）が生じると、感光体１１と中間転写ベルト２１との間に相対的な速度変化が生じ、中間転写ベルト２１に転写される画像にも乱れが生じ得る。
【００４１】
ただし、この実施形態においては、用紙ＰＡがニップ部Ｎ３に突入する前に用紙変形部５０によって用紙形状が上記のように変形されている。そのため、用紙ＰＡの先端部がニップ部Ｎ３に突入する際には、斜めに裁断された用紙先端部がニップ部Ｎ３に突入することになる。具体的には、比較的薄い部分が先ずニップ部Ｎ３に突入し、その後、当該部分以外の部分が徐々にニップ部Ｎ３に突入していく。その結果、用紙ＰＡの先端部が中間転写ベルト２１と２次転写ローラ２２との対向位置に到達した際の衝撃が低下するので、中間転写ベルト２１に急激な速度変化（速度低下）が生じにくくなる。したがって、感光体１１と中間転写ベルト２１との間には相対的な速度変化が生じにくくなり、中間転写ベルト２１に転写される画像には乱れが生じにくくなる。すなわち、用紙ＰＡの突入時の衝撃による用紙ＰＡの搬送速度の変化が画像に及ぼす影響を抑制することが可能である。
【００４２】
また、同様に、用紙ＰＡが定着器４５のローラ対の相互間に突入する際の衝撃に起因する画像の劣化を抑制することも可能である。
【００４３】
ここにおいて、上記の従来技術のような対策を施した厚紙を用いることによれば、一定の効果を得ることが可能であるが、それ以外の厚紙（一般的な厚紙）では上記のような問題を回避することができない。
【００４４】
これに対して、この実施形態に係る画像形成装置１は、一般的な厚紙を用いる場合にも、内蔵された用紙変形部５０を用いて用紙ＰＡの端部を変形させることができるため、用紙ＰＡと中間転写ベルト２１との間に生じる衝撃等を低下させることができる。
【００４５】
以上のように、上記の画像形成装置１によれば、一般的な厚紙を使用する際にも、画像の劣化を抑制することが可能である。また、特に、転写ローラ（詳細には２次転写ローラ２２）と当該転写ローラに対向する対向部材（詳細には中間転写ベルト２１）との間を用紙が通過する際の衝撃に起因する画像の劣化を抑制することが可能である。
【００４６】
＜２．第２実施形態＞
第２実施形態は、第１実施形態の変形例である。上記第１実施形態においては、一直線状に伸びる刃部５５Ａを用いて、用紙ＰＡの先端部の断面形状を変形する場合を例示したが、これに限定されない。例えば、用紙ＰＡの幅方向において元の用紙先端部直線に対して斜行する刃部５５Ｂを用いて、用紙ＰＡの先端部の平面形状を変形するようにしてもよい。第２実施形態においては、このような変形例について例示する。以下では、第１実施形態との相違点を中心に説明する。
【００４７】
図１１および図１２は、第２実施形態に係る用紙変形部５０Ｂの構成を示す図である。図１１は、用紙変形部５０Ｂの或る要素（具体的には用紙端部変形ローラ５１Ｂ）を示す斜視図であり、図１２は、用紙変形部５０Ｂを示す断面図である。
【００４８】
図１１および図１２に示すように、用紙変形部５０Ｂは、用紙端部変形ローラ５１（５１Ｂ）と当該ローラ５１に対向する対向ローラ５２とを備えている。用紙端部変形ローラ５１Ｂおよび対向ローラ５２は、搬送される用紙の幅方向に伸びる回転軸をそれぞれ有しており、当該各回転軸を中心にそれぞれ回動する。この用紙変形部５０Ｂは、刃部５５Ｂを用いて用紙先端部を斜めに裁断してその平面形状を変更することによって、用紙先端部と中間転写ベルト２１との衝突時の衝撃を抑制する。
【００４９】
図１２の断面図に示されるように、用紙端部変形ローラ５１Ｂは、用紙端部変形ローラ５１Ａと同様、その表面が弾性部材５３で覆われている。また、当該弾性部材５３の一部は、突出部５４として形成されている。
【００５０】
また、用紙変形部５０Ｂは、突出部５４と弾性部材５３の表面との空隙部５７において、刃部５５Ｂを有している。
【００５１】
刃部５５Ｂは、図１２の断面図に示すように、用紙端部変形ローラ５１Ｂの外周表面の法線方向において外向きに突出するように設けられている。
【００５２】
また、刃部５５Ｂは、用紙端部変形ローラ５１Ｂの長手方向において用紙幅を超える範囲にわたって伸びている（図１１も参照）。ただし、用紙端部変形ローラ５１Ｂの刃部５５Ｂは、第１実施形態における一直線状の刃部５５Ａとは異なり、用紙端部変形ローラ５１Ｂの外周面上において、「山」形状を構成するように設けられている。具体的には、刃部５５Ｂは、用紙端部変形ローラ５１Ｂの中央部ＣＰから一端側にかけて、用紙端部変形ローラ５１Ｂの軸線に対して徐々に下降するように斜行する斜行部５６ａと、用紙端部変形ローラ５１Ｂの中央部ＣＰから他端側にかけて徐々に下降するように斜行する斜行部５６ｂとを有している。
【００５３】
この第２実施形態においては、この刃部５５Ｂを用いて、図４〜図８に示される動作と同様の動作が実行される。
【００５４】
この第２実施形態では、特に、刃部５５Ｂによる切除動作に伴って、用紙ＰＡの先端部平面において当該先端部が元の端面直線に対して斜めに裁断される。具体的には、図１３に示されるように、用紙ＰＡの先端部（図１３の破線で囲まれる領域付近）の平面形状が「山」型に変形される。なお、図１３は、切除後の用紙ＰＡを示す図である。
【００５５】
そして、このような用紙形状の変化によって、用紙ＰＡの先端部がニップ部Ｎ３に突入する際には、最初は「山」の「頂上」部分がまずニップ部Ｎ３に突入し、その後、頂上部分以外の「裾野」部分が徐々にニップ部Ｎ３に突入していく。そのため、用紙ＰＡの先端部が中間転写ベルト２１と２次転写ローラ２２との対向位置に到達した際の衝撃が低下する。その結果、中間転写ベルト２１に急激な速度変化（速度低下）が生じにくくなる。したがって、感光体１１と中間転写ベルト２１との間には相対的な速度変化が生じにくくなり、中間転写ベルト２１に転写される画像には乱れが生じにくくなる。すなわち、用紙ＰＡの突入時の衝撃が画像に及ぼす影響を抑制することが可能である。
【００５６】
＜３．その他＞
以上、この発明の実施の形態について説明したが、この発明は上記説明した内容のものに限定されるものではない。
【００５７】
例えば、上記実施形態においては、用紙変形部５０がタイミングローラ４１，４２よりも下流側に設けられている場合を例示したが、これに限定されず、タイミングローラ４１，４２よりも上流側に設けられていてもよい。
【００５８】
また、上記実施形態においては、２次転写ローラ２２と中間転写ベルト２１との対向部に用紙ＰＡが突入する際の衝撃を抑制する場合について例示したが、これに限定されない。例えば、定着部のローラ対の相互間に突入する際の衝撃を抑制する場合に上記の思想を適用するようにしてもよい。具体的には、転写ローラに対向する感光体ドラム等から用紙に対してトナー像を直接転写する画像形成装置において、定着器（あるいは当該転写ローラ）よりも上流側に、上記と同様の用紙変形部５０（５０Ａ，５０Ｂ等）を配置するようにしてもよい。
【図面の簡単な説明】
【００５９】
【図１】画像形成装置の概略構成を示す図である。
【図２】用紙端部変形ローラを示す斜視図である。
【図３】用紙変形部を示す断面図である。
【図４】用紙変形部における動作を示す図である。
【図５】用紙変形部における動作を示す図である。
【図６】用紙変形部における動作を示す図である。
【図７】用紙変形部における動作を示す図である。
【図８】用紙変形部における動作を示す図である。
【図９】切除後の用紙を示す図である。
【図１０】用紙突入時の接触面積と用紙突入時の衝撃との関係を示す図である。
【図１１】用紙端部変形ローラを示す斜視図である。
【図１２】用紙変形部を示す断面図である。
【図１３】切除後の用紙を示す図である。
【符号の説明】
【００６０】
１  画像形成装置
１０，１０Ｙ，１０Ｍ，１０Ｃ，１０Ｋ  イメージングユニット
２１  中間転写ベルト
２２  ２次転写ローラ
３０  給紙部
５０，５０Ａ，５０Ｂ  用紙変形部
５１，５１Ａ，５１Ｂ  用紙端部変形ローラ
５２  対向ローラ
５３  弾性部材
５４  突出部
５５，５５Ａ，５５Ｂ  刃部
５６ａ，５６ｂ  斜行部
５７  空隙部
Ｎ３  ニップ部
ＰＡ  用紙
【図１】
2009216781.tif 000003
【図２】
2009216781.tif 000004
【図３】
2009216781.tif 000005
【図４】
2009216781.tif 000006
【図５】
2009216781.tif 000007
【図６】
2009216781.tif 000008
【図７】
2009216781.tif 000009
【図８】
2009216781.tif 000010
【図９】
2009216781.tif 000011
【図１０】
2009216781.tif 000012
【図１１】
2009216781.tif 000013
【図１２】
2009216781.tif 000014
【図１３】
2009216781.tif 000015